(57)【特許請求の範囲】
【請求項１】
固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、受皿部材の底部を容器本体の凹所底面との間に空間を形成するように支持する少なくとも１つの中空突出部が形成されたシート状の座部と当該座部から起立して受皿部材の側壁を保持する周壁を有して可撓性材料からなる受皿収納部と、この受皿収納部の周壁から外側に向かって上方に伸びる腕部を有し当該腕部に容器本体に固定される固定部が設けられ、周方向に間隔を空けて複数設けられたブリッジ部とを備えることを特徴とするコンパクト容器。
【請求項２】
請求項１において、受皿部材と受皿収納部とにそれぞれ、凹部及び凸部又は凸部及び凹部からなる固定手段を設けたことを特徴とするコンパクト容器。
【請求項３】
請求項１又は２において、前記固定部及び前記容器本体にそれぞれ、互いに嵌合する凹部及び凸部からなる回り止め手段を設けたことを特徴とするコンパクト容器。
【請求項４】
請求項１乃至３のいずれか１項において、前記容器本体に、前記腕部を覆うカバーを備えた中枠部材を設けたことを特徴とするコンパクト容器。
【請求項５】
請求項１乃至４のいずれか１項において、前記受皿収納部は、複数の中空突出部を形成してなるものであることを特徴とするコンパクト容器。
【請求項６】
請求項１乃至４のいずれか１項において、前記受皿収納部は、１つの中空突出部を形成してなるものであって、当該中空突出部は、少なくとも１つの段部が形成された上方に向かって先細りの形状をしてなるものであることを特徴とするコンパクト容器。
【発明の詳細な説明】
【技術分野】
【０００１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが既知である。こうした衝撃吸収部材としては、容器本体の凹所底面と受皿部材の底部との間に空洞を形成するように中空凸状に形作られたクッション部を有し、受皿部材の側壁をフランジ部で保持して当該側壁との間に隙間を形成するものがある（例えば、特許文献１参照）。
【先行技術文献】
【特許文献】
【０００３】
【特許文献１】特開２０１０−１７８８９８号公報
【発明の概要】
【発明が解決しようとする課題】
【０００４】
しかしながら、従来の衝撃吸収部材は、受皿部材の側壁下端部をフランジ部で保持するため、上述したクッション部以外で受ける衝撃を吸収する機能は、衝撃吸収部材の材質に依存するところが大きい。このため、従来のコンパクト容器は依然として、固形化粧料に亀裂や欠けを生じさせることがあった。
【０００５】
本発明の目的とするところは、受皿部材が受ける衝撃を効果的に吸収することで、受皿部材に固定された固体物に亀裂や欠けを生じさせない新規なコンパクト容器を提供することにある。
【課題を解決するための手段】
【０００６】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、受皿部材の底部を容器本体の凹所底面との間に空間を形成するように支持する少なくとも１つの中空突出部が形成されたシート状の座部と当該座部から起立して受皿部材の側壁を保持する周壁を有して可撓性材料からなる受皿収納部と、この受皿収納部の周壁から外側に向かって上方に伸びる腕部を有し当該腕部に容器本体に固定される固定部が設けられ、周方向に間隔を空けて複数設けられたブリッジ部とを備えることを特徴とするものである。
【０００７】
ブリッジ部は、受皿収納部とともに可撓性を有する材料によって一体に成形することができる。或いは、ブリッジ部は、インサート成形や二色成形（ダブルモールド）などによって、異材料を用いて一体として構成することもできる。また、ブリッジ部は、受皿収納部と別体に構成して組み付けることもできる。
【０００８】
本発明では、受皿部材と受皿収納部とにそれぞれ、凹部及び凸部又は凸部及び凹部からなる固定手段を設けることができる。
【０００９】
また、本発明では、前記固定部及び前記容器本体にそれぞれ、互いに嵌合する凹部及び凸部からなる回り止め手段を設けることができる。なお、本発明において、「凹部」とは、単なる「凹み」だけでなく、「切り欠き部」や「溝」等も含む意味である。
【００１０】
また、本発明では、前記容器本体に、前記腕部を覆うカバーを備えた中枠部材を設けることができる。
【００１１】
本発明において、前記受皿収納部は、複数の中空突出部を形成してなるものとすることができる。
【００１２】
また、前記受皿収納部は、１つの中空突出部を形成してなるものであって、当該中空突出部は、少なくとも１つの段部が形成された上方に向かって先細りの形状をしてなるものとすることができる。
【発明の効果】
【００１３】
本発明では、衝撃吸収部材に、可撓性材料からなる受皿収納部を設け、この受皿収納部として、受皿部材の底部を受ける座部に、受皿部材の底部を容器本体の凹所底面との間に空間を形成するように支持する少なくとも１つの中空突出部を形成したことで、受皿部材の底部を容器本体の凹所底面に接触させることなく配置することができる。また、受皿収納部は、座部に繋がる周壁から外側に向かって上方に伸びるブリッジ部を介して容器本体に固定される。
【００１４】
即ち、受皿部材は、衝撃吸収部材によって、凹所の上端開口は勿論、その内側面及び底面に対しても離間した状態に支持される。このため、容器本体からの衝撃は、衝撃吸収部材の座部に形成された中空突出部及びブリッジ部を通して受皿部材に伝わるので、受皿部材が容器本体からの衝撃を直接受けることがない。
【００１５】
しかも、衝撃吸収部材のブリッジ部は、座部に形成された中空突出部に生じる変形及び復元力並びに空気ばね効果に加え、その変形及び復元力によって、容器本体が前後左右上下のいずれから受けた衝撃を吸収し又は分散させることができる。このため、受皿部材が受皿収納部を通して受ける衝撃も小さく抑えることができる。
【００１６】
従って、本発明によれば、受皿部材が受ける衝撃を効果的に吸収することで、受皿部材に固定された固体物に亀裂や欠けを生じさせない新規なコンパクト容器を提供することができる。
【図面の簡単な説明】
【００１７】
【図１】本発明の第１の形態である、化粧用コンパクト容器の前後方向を示す縦断面図である。
【図２】図１の拡大断面図及び、その一部拡大斜視図である。
【図３】本発明の第２の形態である、化粧用コンパクト容器の前後方向を示す縦断面図である。
【図４】図３の拡大断面図である。
【図５】同形態にて、衝撃吸収部材を容器本体に対して回り止めするための方法を説明するための要部断面斜視図である。
【発明を実施するための形態】
【００１８】
以下、図面を参照して、本発明の一形態である、化粧用コンパクト容器を詳細に説明する。
【００１９】
図１は、本発明の第１の形態である、化粧用コンパクト容器１０である。符号Ｄは、受皿部材である。受皿部材Ｄは、受皿本体１１と受皿カバー１２で構成されている。受皿本体１１は、横断面が円形の周壁１１ａの下端に底壁１１ｂを一体に設け、その内側に、固体物たる固形化粧料Ｓを固定保持する。
【００２０】
受皿カバー１２は、横断面が円形の周壁１２ａの下端に底壁１２ｂを一体に設け、その内側には、受皿本体１１を収納する。受皿本体１１は、接着や嵌合等の固定手段を用いることで、受皿カバー１２に固定されている。また、受皿本体１１は、受皿カバー１２と一体に成形することができる。
【００２１】
符号１３は、容器本体である。容器本体１３は、横断面が円形の周壁１３ａの下端に底壁１３ｂを一体に設け、その内側には、受皿部材Ｄを収納する凹所Ｃ１が形成されている。凹所Ｃ１は、周壁１３ａの内周面１３ｆ1から内側に膨出する複数の膨出部１３ｃで形成されている。膨出部１３ｃは、内周面１３ｆ1に沿って、その周方向に間隔を置いて配置されている。
【００２２】
また図１中、符号１４は、凹所Ｃ１の上端開口を開閉可能な蓋体である。蓋体１４は、容器本体１３に対してピンＰを介して連結されている。蓋体１４は、外蓋体１４ａと内蓋体１４ｂからなる。内蓋体１４ｂの内側には鏡１９が固定されている。
【００２３】
符号Ｍ１は、衝撃吸収部材である。衝撃吸収部材Ｍ１は、エラストマやゴム等に代表される可撓性を有した材料からなる受皿収納部１５を有する。受皿収納部１５は、横断面が円形の周壁１５ａの下端に底壁１５ｂを一体に設け、その内側には、受皿部材Ｄを収納する。
【００２４】
周壁１５ａは、底壁１５ｂから起立して受皿カバー１２の周壁（側壁）１２ａを保持する。本形態では、図２に示すように、周壁１５ａは、その内周面に全周に亘って環状突起１５ｐが形成されている。一方、本形態では、受皿カバー１２にも、その周壁１２ａの外周面に全周に亘って環状突起１２ｐが形成されている。環状突起１２ｐが環状突起１５ｐに引っ掛かって係止されることで、受皿部材Ｄは、受皿収納部１５に対して抜け止め保持される。
【００２５】
底壁１５ｂは、受皿部材Ｄと容器本体１３との間に配置されたシート状の座部としてなる。底壁１５ｂには、同図に示すように、複数の中空突出部１５ｃが形成されている（図２中では、例示的に一箇所のみ符号１５ｃを表示）。中空突出部１５ｃは、同図の拡大斜視図に示すように、上方に向かって縮径するドーム形状をしてなり、容器本体１３の凹所底面１３ｆ3との間に空洞（空間）Ｃ２を形成する。中空突出部１５ｃはそれぞれ、その頂点１５ｄとの点接触により、受皿部材Ｄの底壁ｆd（本形態では、カバー１２の底壁１２ｂ）を支持する。
【００２６】
本形態では、受皿カバー１２は、環状突起１２ｐの上端から底壁１２ｂの外底面までの高さが、受皿収納部１５の環状突起１５ｐの下端から中空突出部１５ｃの頂点１５ｄまでの高さよりも高く設定されている。このため、環状突起１２ｐは、環状突起１５ｐに対して中空突出部１５ｃを圧縮した状態で引っ掛かって係止されることで、受皿部材Ｄが、受皿収納部１５から抜けることを強固に防止する。即ち、環状突起１２ｐと環状突起１５ｐは、受皿部材Ｄの固定手段としても機能する。
【００２７】
こうした固定手段を設ければ、受皿部材Ｄは、受皿収納部１５に対して強固に固定されることで、受皿部材Ｄが受ける衝撃を中空突出部１５ｃによって効果的に吸収することができる。なお、環状突起１２ｐと環状突起１５ｐは、いずれか一方を周方向に間欠的に設けることもできる。
【００２８】
また、受皿収納部１５の周壁１５ａには、周方向に間隔を空けて複数のブリッジ部１６が設けられている。ブリッジ部１６は、周壁１５ａの上端から外側に向かって上方に伸びる腕部１６ａを有する。本形態では、腕部１６ａは、周壁１５ａから径方向外向きに略水平に伸びたのち、湾曲しながら略垂直上向きに伸びている。腕部１６ａはそれぞれ、環状の張り出し部１６ｂによって一体に連結されている。張り出し部１６ｂは、容器本体１３の膨出部１３ｃの上端１３ｅに固定される固定部として機能する。
【００２９】
本形態では、衝撃吸収部材Ｍ１に、可撓性材料からなる受皿収納部１５を設け、この受皿収納部１５として、受皿部材Ｄの底壁ｆｄを受ける底壁１５ｂを座部として、この底壁１５ｂに、受皿部材Ｄの底壁ｆｄを容器本体１３の凹所底面１３ｆ3との間に空間Ｃ２を形成するように支持する複数の中空突出部１５ｃを形成したことで、受皿部材Ｄの底壁ｆｄを凹所底面１３ｆ3に接触させることなく配置することができる。また、受皿収納部１５は、底壁１５ｂに繋がる周壁１５ａから外側に向かって上方に伸びる複数のブリッジ部１６を介して容器本体１３に固定される。
【００３０】
即ち、受皿部材Ｄは、衝撃吸収部材Ｍ１によって、凹所Ｃ１の上端開口は勿論、容器本体１３の膨出部１３ｃの内側面１３ｆ2及び底面１３ｆ3に対しても離間した状態に支持される。このため、容器本体１３からの衝撃は、衝撃吸収部材Ｍ１の底壁１５ｂに形成された中空突出部１５ｃ及びブリッジ部１６を通して受皿部材Ｄに伝わるので、受皿部材Ｄが容器本体１３からの衝撃を直接受けることがない。
【００３１】
しかも、衝撃吸収部材Ｍ１のブリッジ部１６は、底壁１５ｂに形成された中空突出部１５ｃに生じる変形及び復元力並びに空気ばね効果に加え、その変形及び復元力によって、容器本体１３が前後左右上下のいずれから受けた衝撃を吸収し又は分散させることができる。このため、受皿部材Ｄが受皿収納部１５を通して受ける衝撃も小さく抑えることができる。
【００３２】
従って、本形態によれば、受皿部材Ｄが受ける衝撃を効果的に吸収することで、受皿部材Ｄに固定された固形化粧料Ｓに亀裂や欠けを生じさせない新規なコンパクト容器を提供することができる。
【００３３】
一方、ブリッジ部１６に設けた張り出し部１６ｂは、膨出部１３ｃの上端１３ｅに接着等の固定手段により固定することも可能であるが、本形態では、容器本体１３に、中枠部材１７が設けられている。中枠部材１７は、衝撃吸収部材Ｍ１の張り出し部１６ｂの上端に接触する張り出し部１７ａを有する。張り出し部１７ａは、容器本体１３の内周面１３ｆ1に嵌合させることで、容器本体１３に対して固定する。これにより、衝撃吸収部材Ｍ１は、中枠部材１７によって固定することができる。
【００３４】
また、張り出し部１７ａの内側には、腕部１６ａを覆うカバー１７ｂが一体に設けられている。カバー１７ｂは、図１に示すように、張り出し部１７ａから受皿収納部１５に向かって縮径しながら延在し、その内側が開口して受皿収納部１５の上端開口を開口させる。カバー１７ｂは、張り出し部１７ａとともに、ブリッジ部１６を外部からの接触や粉化した固形化粧料Ｓ等から保護することで、腕部１６ａの耐久性を向上させる。なお、本形態では、受皿カバー１２の周壁１２ａの上端には、全周に亘って周回する張り出し部１２ｃが設けられている。張り出し部１２ｃも、中枠部材１７とともに、ブリッジ部１６を覆うカバーとして機能する。即ち、本形態では、受皿部材Ｄも、ブリッジ部１６を覆うカバーとして機能する。
【００３５】
また、張り出し部１７ａからは、筒壁１７ｃが上方に向かって拡径しながら延在し、その内側が開口して受皿収納部１５の上端開口を外界に通じさせる。筒壁１７ｃには、図示のように、カバー１７ｂとともに、その内側にパフ等の化粧道具Ｔを収納するための空間を形成する。また、筒壁１７ｃには、図１に示すように、蓋体１４に設けたフック１４ｆに引っ掛かって蓋体１４の開放を阻止するフック１７ｆとともに、これらフック１４ｆ及び１７ｆの引っ掛かりを、その押し込みにより解除するフックピース１８を設けることができる。
【００３６】
また、本形態では、図２のように、容器本体１３の底壁１３ｂに、貫通孔Ａ１が形成されている。貫通孔Ａ１は、棒材を挿入することができる。棒材で底壁１５ｂを介して受皿部材Ｄを押圧すれば、環状突起１５ｐが弾性変形することにより、受皿収納部１５から、受皿部材Ｄを取り外すことができる。
【００３７】
特に容器本体１３に形成した貫通孔Ａ１は、容器本体１３と蓋体１４との間に外気を導入するため、容器本体１３と蓋体１４との間が密閉された場合に、その負圧によって生じる衝撃吸収部材Ｍ１の機能低下を防止するのに有効である。なお、本形態では、底壁１５ｂは、貫通孔Ａ１と一致する位置に、台形円筒状の中空突出部１５ｃ1が形成されている。これにより、底壁１５ｂを介しての棒材による押圧が容易になる。
【００３８】
なお、本発明に従えば、受皿部材Ｄは、受皿カバー１２を省略することで、受皿本体１１のみで構成することもできる。
【００３９】
図３は、本発明の第２の形態である、化粧用コンパクト容器２０である。本形態において、第１の形態と同一又は略同一の部分は、同一符号をもってその説明を省略する。
【００４０】
本形態では、受皿部材Ｄは、受皿本体１１のみで構成されている。このため、受皿本体１１は、衝撃吸収部材Ｍ２に直接保持されている。衝撃吸収部材Ｍ２は、受皿収納部１５が、１つの中空突出部１５ｃを形成してなるものである。
【００４１】
中空突出部１５ｃは、図３に示すように、上方に向かって先細りの形状をし、軸線Ｏ周りを周回する環状の段部１５ｃ2が形成されている。中空突出部１５ｃの頂点部分は、平坦な天壁１５ｃ3としてなる。天壁１５ｃ3は、受皿部材Ｄの底壁ｆｄ（受皿本体１１の底壁１１ｂ）を支持するとともに、容器本体１３の凹所底面１３ｆ3との間に空間Ｃ２を形成する。なお、本形態では、容器本体１３には、凹所底面１３ｆ4が設けられている。凹所底面１３ｆ4は、底壁１３ｂから膨出することにより、凹所底面１３ｆ3よりも高く設けられている。
【００４２】
中空突出部１５ｃに段部１５ｃ2を設けたことで、この段部１５ｃ2での変形及び復元が容易になる。このため、段部１５ｃ2は、衝撃吸収部として効果的に機能する。なお、段部１５ｃ2は、少なくとも1つ存在すればよく、複数設けることも可能である。
【００４３】
受皿部材Ｄは、接着等の固定手段を用いることで、又は、受皿収納部１５の周壁１５ａと嵌合させることで、受皿収納部１５に固定されている。
【００４４】
また、本形態では、衝撃吸収部材１５の天壁１５ｃ3に、貫通孔Ａ２が形成されている。貫通孔Ａ２は、棒材を挿入することができる。棒材で受皿部材Ｄを押圧すれば、受皿収納部１５から受皿部材Ｄを取り外すことができる。
【００４５】
ところで、本形態も第１の形態と同様、ブリッジ部１６には、全周に亘って張り出し部１６ｂが形成されている。張り出し部１６ｂは、図４に示すように、膨出部１３ｃの上端１３ｅに載せ置かれている。また、張り出し部１６ｂには、図５に示すように、切り欠き部１６ｎが形成されている。
【００４６】
一方、同図に示すように、膨出部１３ｃの上端１３ｅには、凸部１３ｐが設けられている。衝撃吸収部材Ｍ２は、凸部１３ｐが切り欠き部１６ｎに合わさることで、容器本体１３の凹所Ｃ１において、内側面１３ｆ2に沿って回転することがない。即ち、凸部１３ｐ及び切り欠き部１６ｎは、衝撃吸収部材Ｍ２を位置決めする回り止め手段として機能する。
【００４７】
上述したところは、本発明の一形態を示したにすぎず、特許請求の範囲において、種々の変更を加えることができる。例えば、衝撃吸収部材Ｍ１，Ｍ２の平面形状は、円形だけでなく、矩形など、受皿部材Ｄの平面形状に応じて適宜変更することができる。また、ブリッジ部１６は、受皿収納部１５とともに可撓性材料によって一体に成形することができる。或いは、ブリッジ部１６は、インサート成形や二色成形（ダブルモールド）などによって、異材料を用いて一体として構成することもできる。また、ブリッジ部１６は、受皿収納部１５と別体に構成して組み付けることもできる。
【００４８】
蓋体１４は、例えば、ピンＰにねじりばねを設けることで、フックピース１８を操作してフックを解除したのちは、自動的に開くように構成することができる。さらに、上述した各形態に採用された構成要素等は、互いに適宜組み合わせて用いることも可能である。
【産業上の利用可能性】
【００４９】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されるコンパクト容器であれば、様々なものに適用することができる。
【符号の説明】
【００５０】
１０    コンパクト容器（第１の形態）
１１    受皿本体（受皿部材）
１１ａ  周壁
１１ｂ  底壁（受皿部材の底壁）
１２    受皿カバー（受皿部材）
１２ａ  周壁
１２ｂ  底壁（受皿部材の底壁）
１２ｐ  環状突起（固定手段）
１３    容器本体
１３ａ  周壁
１３ｂ  底壁
１３ｃ  膨出部
１３ｆ1 容器本体周壁内周面
１３ｆ2 膨出部内側面
１３ｆ3 凹所底面
１３ｐ  凸部（回り止め手段）
１４    蓋体
１４ｆ  フック
１５    受皿収納部
１５ａ  周壁
１５ｂ  底壁（座部）
１５ｃ  中空突出部
１５ｃ1 中空突出部
１５ｃ2 段部
１５ｃ3 天壁
１５ｐ  環状突起（固定手段）
１６ｃ3 天壁
１６    ブリッジ部
１６ａ  腕部
１６ｂ  張り出し部（固定部）
１６ｎ  切り欠き部（回り止め手段）
１７    中枠部材
１７ａ  張り出し部
１７ｂ  カバー
１７ｃ  筒壁
１７ｆ  フック
１８    フックピース
１９    鏡
２０    コンパクト容器（第２の形態）
Ａ１    貫通孔（容器本体）
Ａ２    貫通孔（受皿収納部）
Ｄ      受皿部材
ｆｄ    受皿部材の底壁
Ｍ１    衝撃吸収部材（第１の形態）
Ｍ２    衝撃吸収部材（第２の形態）
【図１】
0005840516.tif 000002
【図２】
0005840516.tif 000003
【図３】
0005840516.tif 000004
【図４】
0005840516.tif 000005
【図５】
0005840516.tif 000006